【事件の表示】
　特願２０００−３０３１０４「テレビ番組表示システム」拒絶査定不服審判事件〔平成１４年　４月１２日出願公開、特開２００２−１０８７７６〕について、次のとおり審決する。
【結　論】
　本件審判の請求は、成り立たない。
【理　由】
１．手続の経緯
　本願は、平成１２年１０月３日に出願されたものであって、平成１７年２月２８日付けで手続補正書が提出されたところ、同年３月１６日付けで上記手続補正書による補正について、補正の却下の決定がなされるとともに拒絶査定がなされ、これに対し、同年４月２１日に拒絶査定不服審判が請求されるとともに、同年５月２３日付けで手続補正（以下、「本件補正」という。）がなされたものである。
　
２．平成１７年５月２３日付けの手続補正についての補正却下の決定
［補正却下の決定の結論］
　平成１７年５月２３日付けの手続補正を却下する。
　
［理由］
（１）補正後の本願発明
　本件補正により、特許請求の範囲の請求項１は、
　「【請求項１】　利用者の携帯端末とテレビ番組配信端末とを通信ネットワークを介して接続し、利用者が前記携帯端末を介して前記テレビ番組配信端末から番組を閲覧して視聴したい番組を前記テレビ番組配信端末に登録するテレビ番組表示システムであって、
　前記テレビ番組配信端末は、利用者が登録した番組に関して、メール配信すべき情報があるか否かを監視し、当該監視の結果、前記メール配信すべき情報があるときは、登録した前記番組の前後又は登録した前記番組の放映中に、前記テレビ番組配信端末が、前記通信ネットワークに接続されたメール配信端末に対してメール送信を要求すると、該メール配信端末が、利用者の前記携帯端末に対して、登録した前記番組に関する前記情報をメール配信することを特徴とするテレビ番組表示システム。」
と補正された。（なお、請求項１には、「・・・請求項１記載のテレビ番組表示システム。」と記載されているが、「請求項１記載の」とあるのは誤記と認められるので、削除の上、上記のように認定した。）
　
　本件補正は、補正前（平成１６年１１月２９日付け手続補正書）の請求項１に係る発明である
　「利用者の携帯端末とテレビ番組配信端末とを通信ネットワークを介して接続し、利用者が前記携帯端末を介して番組を閲覧して視聴したい番組を前記テレビ番組配信端末に登録するテレビ番組表示システムにおいて、
　前記利用者が登録した番組に関してメール配信すべき情報があるときは、前記テレビ番組配信端末が、前記通信ネットワークに接続されたメール配信端末に対してメール送信を要求することによって、前記メール配信端末から利用者の携帯端末に対して、前記番組に関する情報をメール配信することを特徴とするテレビ番組表示システム。」を補正するものであって、特許法第１７条の２第４項第２号の特許請求の範囲の減縮を目的とするものに該当する。
　そこで、本件補正後の前記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物
（２−１）刊行物１
　原査定の拒絶の理由に引用された、「／／ＴＶ　Ｐｒｏｇｒａｍ　テレビ　テレビ番組情報を集める」，週間　イージー・ピーシー，日本，株式会社デアゴスティーニ・ジャパン，１９９８年６月２日，第２巻，第１１号，ｐ．２７−２８（以下、「刊行物１」という。）には、図面と共に、次のような記載がある。
　
　「／／ＴＶ　Ｐｒｏｇｒａｍ　テレビ　テレビ番組情報を集める
　新聞、ラジオ、雑誌など、わたしたちは毎日さまざまな媒体から送られる情報に接しながら生活しています。その中でも、いちばん身近で手軽なメディアといえば、やはりテレビ。今回は、そんなテレビをもっと楽しむための情報をキャッチできるホームページをご紹介します。
自分専用の番組表を作れる『インターネットＴＶガイド』
　『インターネットＴＶガイト』は、テレビ情報誌「ＴＶガイド」のホームページです。１０日間の番組表に加え、「今日のドラマ」「今日のスポーツ」など、ジャンル別に番組を紹介するガイドのほか、キーワードで番組の検索もすることができます。
　また、自分専用の番組表を表示できる「あなたの番組表」という便利なサービスもあります。これは、一度登録すると、次回から自分の好きな番組の放映日時や、気になるタレントが出演する番組表を表示できるというシステムで、放映時間や番組について手早く確認することができます。登録している番組について新しい情報が入った際には、メールで知らせてくれるといううれしいサービスもあります。」（第２７頁左欄第１行〜中欄第２行）
　
　第２７頁中欄上には、記載「テレビ番組情報誌の老舗「ＴＶガイド」のホームページ。うれしいサービスがたくさんある」とともに、インターネット上の所定のＵＲＬ（http://www.tvguide.or.jp/）のホームページをブラウザで表示した画面が示されている。
　
　これらの記載によれば、刊行物１には、次の発明（以下、「刊行物１発明」という。）が開示されていると認めることができる。
　
　「インターネット上のテレビ番組情報に関するホームページであって、
　１０日間の番組表に加え、キーワードで番組の検索もすることができ、
　自分専用の番組表を表示できるサービスは、一度登録すると、次回から自分の好きな番組の放映日時や、気になるタレントが出演する番組表を表示できるというシステムで、放映時間や番組について手早く確認することができ、
　登録している番組について新しい情報が入った際には、メールで知らせてくれる、
　ホームページ。」
　
（２−２）周知刊行物２
　特開平１０−３１３４３４号公報（以下、「周知刊行物２」という。）には、図面と共に、次のような記載がある。
　
【００２１】ディジタル放送では、ＭＰＥＧ２の画像圧縮技術の利用により、１００チャンネル以上の番組を、広範囲にわたって放送できるメリットがある。この場合、多チャンネル化によって、新聞や雑誌のような印刷媒体による番組表から当日、翌日、１週間後などの番組を探し出してチャンネル選択や録画予約をすることは、多くのユーザにとって非常に繁雑なものとなる。そこで、その対策としてユーザがＴＶ画面上で番組検索や選択をできるように、番組情報などの、番組表を作るために必要なデータもＭＰＥＧ２のトランスポートストリームに多重されて放送される。この番組表のことをEPG（Electronic Program Guide)という。
　
（２−３）周知刊行物３
　特開平１１−２０５７２８号公報（以下、「周知刊行物３」という。）には、図面と共に、次のような記載がある。
　
【００２１】番組予約登録システム１０は、受信回路１４にて受信された信号のうち、番組表を示す信号を抽出する番組表取得部１６と、番組予約のために必要な処理を実行する予約照合部１８と、予約された番組に関する種々のデータを記憶する予約番組メモリ２０と、予約番組メモリ２０に記憶されたデータにしたがって、テレビ受像機４０やビデオテープレコーダ（ＶＴＲ）４２に映像信号を与えるべく作動する予約実行部２２と、必要な場合に、番組表から所定の番組を検索する番組検索部２４と、番組検索部にて用いられる、所定の番組に関する種々のデータを記憶した登録番組メモリ２６とを備えている。また、受信機１２は、上述した受信回路１４、番組予約登録システム１０のほか、リモートコントローラ（リモコン）４４からの信号（たとえば、赤外線信号）を受信する受光回路３０を備えている。また、受信回路１４や番組予約登録システム１０からの種々の信号は、インタフェース２８を介して、テレビ受像機４０および／またはＶＴＲ４２に伝達される。
　
【００３１】ステップ３０７にて「はい」と判断された場合には、番組検索部２４は、番組表から、選択された番組が再度放映される日付、時間帯およびチャンネルを取り出して、これをインタフェース２８を介して、テレビ受像機４０に伝達する。これにより、テレビ受像機４０の画面上には、図４（ｃ）に示すように、選択された番組を視聴或いは録画可能な他の時間帯などの情報を含む画像が表示される（ステップ３０８）。図４（ｃ）の例では、選択された番組の視聴／録画の種別が、視聴であったため、視聴可能別時間一覧となっている。選択された番組の視聴／録画欄の種別が録画である場合には、テレビ受像機４０の画面上に表示される画像は、録画可能別時間一覧となる。
　
（２−４）周知刊行物４
　「インターネットミニコミ誌が自動配信される　メールマガジン」，ダカーポＱＲ　ｉモードパーフェクトスキルアップＢＯＯＫ，日本，株式会社マガジンハウス，２０００年７月２５日，ｐ．５５（以下、「周知刊行物４」という。）には、図面と共に、次のような記載がある。
　
　「予め見たい番組や出演者などのキーワードを登録しておくと、番組開始前にメールで知らせてくれる、ありがたいメルマガサービスがある。」（第５５頁中欄第２１行〜第２５行）
　
（２−５）周知刊行物５
　原査定の拒絶の理由に引用された、国際公開第００／１１８６９号パンフレット（以下、「周知刊行物５」という。）には、図面と共に、次のような記載がある。
　
　「The program guide may also provide users with an opportunity to schedule reminders using boolean or natural language expressions having one or more criteria. If desired, program guide server 25 may schedule reminders based on user preference profiles and agents. Reminders may be scheduled for individual programs or series of programs. Systems in which reminders are set for series of programs are described,for example, in Knudson et al. U.S. patent application Serial No. 09/330,792, filed June 11, 1999 (Attorney Docket No. UV-56), which is hereby incorporated by reference herein in its entirety.
          A user may indicate a desire to schedule areminder by, for example, selecting a selectable Reminders feature 106 from main menu 100 of FIG. 5. In response, the program guide may display a criteria screen. Illustrative criteria screens 161 and 169 are shown in FIGS. 17a and 17b. The program guide client may display criteria screen 161 of FIG. 17a to provide a user with an opportunity to set reminders accordingto a boolean type expression. The user may construct a boolean expression by selecting criteria such as attribute types, attributes, and logical operators. The user may make such selections, for example, using any suitable combination of right, left, up, or down arrow key sequences to sequence through the attribute types, attributes and logical operators. In the example of FIG. 17a, the user has defined a boolean expression to schedule reminders for comedies that star Gary Shandling and that have a rating less than R. In the example of FIG. 17b, the user has defined a similar natural language expression.
          The program guide client may submit the user defined boolean or natural language expression to program guide server 25 for processing. Program guide server 25 may process the expression and schedule reminders for all of the programs that meet theexpression. Program reminders may be scheduled using any suitable approach. In one suitable approach, program guide server 25 may store program identifiers and air times and send messages to the program guide client at an appropriate time before a program starts. In another suitable approach, program guide server 25 may process an expression and provide program identifiers and air times to the program guide client. The program guide client may, for example, maintain a list of program identifiers and display program reminders at an appropriate time before the programs start.
          The program guide may remind a user that a program is airing at the time a program airs. In an alternative approach, the program guide may remind a user at some predetermined period of time before the program airs that a program is going to air. FIGS. 18 and 19 show illustrative program reminder lists 171. In FIG. 18, reminder list 171 is overlaid on top of the currently display television program to provide a user with the opportunity to view a reminder while still viewing a portion of the television program that a user is watching. In FIG. 19, reminder list 171 is shown overlaid on top of a program listings display screen. The program guide may provide a user with an opportunity to scroll through reminder list 171 by, for example, using remote control arrow keys. The program guide may hide the reminder list when, for example, a user selects hide reminder feature 172. The guide may also display reminder list 171 if, for example, the user presses an OK key at any time while watching TV.」（第３７頁第１７行〜第３９頁第１９行）
　（〔参考：上記の訳文〕
　番組ガイドはまた、１つ以上の基準を有するブールまたは自然言語の式を用いてリマインダを予約する機会もユーザに提供し得る。所望ならば、番組ガイドサーバ２５は、ユーザ選好プロフィールおよびエージェントに基づいてリマインダを予約し得る。リマインダは、個々の番組またはシリーズの番組について予約され得る。シリーズの番組に対してリマインダを設定するシステムについては、例えば、１９９９年６月１１日に出願された、Ｋｎｕｄｓｏｎらによる米国特許出願第０９／３３０，７９２号（Ａｔｔｏｒｎｅｙ  Ｄｏｃｋｅｔ  Ｎｏ．ＵＶ−５６）に記載がある。本明細書中、同出願の全体を参考のため援用する。
　ユーザは、例えば図５のメインメニュー１００から選択可能なリマインダ機能１０６を選択することにより、リマインダを予約したい旨を知らせ得る。それに応答して、番組ガイドは、基準画面を表示し得る。図１７ａおよび１７ｂは、例示的基準画面１６１および１６９を示す。番組ガイドクライアントは、図１７ａの基準画面１６１を表示して、ブール型の式に従ってリマインダを設定する機会をユーザに提供し得る。ユーザは、基準（例えば、属性の種類、属性、および論理演算子等）を選択することにより、ブール式を構築し得る。ユーザは、例えば左右上下矢印キーの順番の任意の適切な組み合せを用いて属性の種類、属性および論理演算子を順番に設定する（ｓｅｑｕｅｎｃｅ  ｔｈｒｏｕｇｈ）ことにより、このような選択を行い得る。図１７ａの例の場合、ユーザは、Ｇａｒｙ  Ｓｈａｎｄｌｉｎｇが主演し、かつ格付けがＲより下のコメディについてリマインダを予約するようにブール式を定義している。図１７ｂの例の場合、ユーザは、自然言語式を用いて同様の定義を行っている。
　番組ガイドクライアントは、ユーザが定義したブール式または自然言語式を、処理対象として番組ガイドサーバ２５に提出し得る。番組ガイドサーバ２５は、その式を処理してその式を満たす番組全てに関するリマインダを予約し得る。番組リマインダ項目は、任意の適切なアプローチを用いて予約され得る。１つの適切なアプローチにおいて、番組ガイドサーバ２５は、番組識別子および放送時間を格納し、番組が開始する前の適切な時間にメッセージを番組ガイドクライアントに送信し得る。別の適切なアプローチにおいて、番組ガイドサーバ２５は、式を処理し、番組識別子および放送時間を番組ガイドクライアントに提供し得る。番組ガイドクライアントは、例えば、番組識別子のリストを保持し、番組が開始する前の適切な時間に番組リマインダを表示し得る。
　番組ガイドは、番組の放送時間に、番組が放送中である旨をユーザに思い出させ得る。別のアプローチにおいて、番組ガイドは、番組の放送予定時間よりも前の所定の時間になると、ユーザに番組が今から放送されることを思い出させ得る。図１８および１９は、例示的番組リマインダリスト１７１を示す。図１８において、現在表示されているテレビ番組上にリマインダリスト１７１がオーバーレイされ、現在ユーザが見ているテレビ番組の一部を視聴しながらリマインダを見る機会をユーザに提供する。図１９において、リマインダリスト１７１が番組リスト項目表示画面上にオーバーレイされている様子が示されている。番組ガイドは、例えばリモートコントロールの矢印キーを用いることによりリマインダリスト１７１をスクロールする機会をユーザに提供し得る。例えばユーザがリマインダ機能を隠す１７２を選択すると、番組ガイドは、リマインダリストを隠し得る。番組ガイドはまた、例えばユーザがＴＶ視聴中の任意の時に「ＯＫ」キーを押すと、リマインダリスト１７１も表示し得る。）
　
（２−６）周知刊行物６
　特開２０００−１０１６３３号公報（以下、「周知刊行物６」という。）には、図面と共に、次のような記載がある。
　
【０００４】電子メールシステムは、メールクライアント、メール送信サーバ（ＳＭＴＰサーバともいう）及びメール受信サーバ（ＰＯＰサーバともいう）で構成されており、メールクライアントの機能はＭＵＡ（Mail User Agent）と呼ばれるソフトで、また、ＳＭＴＰサーバとＰＯＰサーバの機能はＭＴＡ（Mail Transport Agent）と呼ばれるソフトで提供されている。
【０００５】電子メールの送信から受信までの流れを概説すると、ＭＵＡから送信された電子メールは、発信者のメールアカウント、例えば“ａａａ＠ｂｂｂ．ｃｏ．ｊｐに対応したドメイン“ｂｂｂ．ｃｏ．ｊｐを持つＳＭＴＰサーバに届けられ、そのＳＭＴＰサーバよってネット上に再送された後、適切なルーティングを経て最終的に、受信者のメールアカウント、例えば“ｓａｔｏ＠ｃａｓｉｏ．ｃｏ．ｊｐに対応したドメイン“ｃａｓｉｏ．ｃｏ．ｊｐを持つＰＯＰサーバのメールボックス（注１）に届けられる。
注１：メールボックスとは、ＰＯＰサーバの大規模記憶媒体に設けられた、アカウント“ｓａｔｏ＠ｃａｓｉｏ．ｃｏ．ｊｐ専用のメール記憶領域であり、一般郵便における私書箱に相当するものである。
　
（２−７）周知刊行物７
　特開２０００−１３４２５７号公報（以下、「周知刊行物７」という。）には、図面と共に、次のような記載がある。
　
【０００４】電子メールシステムは、図１０に示すように、ネットワーク１（厳密にはＴＣＰ／ＩＰベースのネットワーク；代表的にはインターネット）、メール送信サーバ（ＳＭＴＰサーバともいう）２、メール受信サーバ（ＰＯＰ３サーバともいう）３及びクライアントコンピュータ４、５（図では２台であるが、この台数は一例である）で構成されており、ＳＭＴＰサーバとＰＯＰ３サーバの機能はＭＴＡ（Mail Transport Agent）と呼ばれるソフトで、また、メールクライアントの機能はＭＵＡ（Mail User Agent）と呼ばれるソフトで提供されている。
【０００５】電子メールの送信から受信までの流れを概説すると、あるクライアントコンピュータ４から送信された電子メールは、発信者のメールアカウント、例えば“ａａａ＠ｂｂｂ．ｃｏ．ｊｐに対応したドメイン“ｂｂｂ．ｃｏ．ｊｐを持つＳＭＴＰサーバ２に届けられ、そのＳＭＴＰサーバ２よってネットワーク１上に再送された後、適切なルーティングを経て最終的に、受信者のメールアカウント、例えば“ｓａｔｏ＠ｃａｓｉｏ．ｃｏ．ｊｐに対応したドメイン“ｃａｓｉｏ．ｃｏ．ｊｐを持つＰＯＰ３サーバ３のメールボックス（注１）に届けられる。注１：メールボックスとは、ＰＯＰ３サーバ３の大規模記憶媒体に設けられた、アカウント“ｓａｔｏ＠ｃａｓｉｏ．ｃｏ．ｊｐ専用のメール記憶領域であり、一般郵便における私書箱に相当するものである。
　
　
（３）対比
　本願補正発明と刊行物１発明とを比較する。
　刊行物１発明では、インターネット上のテレビ番組情報に関するホームページは、１０日間の番組表に加え、キーワードで番組の検索もすることができ、自分専用の番組表を表示できるサービスもあるから、本願補正発明の「利用者の端末」、「テレビ番組配信端末」、「通信ネットワーク」に相当する構成を備え、刊行物１発明は、本願補正発明とは、「利用者の端末とテレビ番組配信端末とを通信ネットワークを介して接続」する点で一致すると言える。
　刊行物１発明では、自分専用の番組表を表示できるサービスは、一度登録すると、次回から自分の好きな番組の放映日時や、気になるタレントが出演する番組表を表示できるというシステムで」あり、また、「登録している番組について新しい情報が入った際には、メールで知らせてくれるというサービス」もあるから、ホームページ上で視聴したい番組を登録できることは明らかであり、刊行物１発明も、本願補正発明と同様、「利用者が端末を介して視聴したい番組を前記テレビ番組配信端末に登録するテレビ番組表示システム」であるということができる。
　刊行物１発明では、「登録している番組について新しい情報が入った際には、メールで知らせてくれる」から、刊行物１発明における、メールで知らせてくれる「新しい情報」は、本願補正発明の「メール配信すべき情報」に相当する。また、刊行物１発明では、「新しい情報が入った際には、メールで知らせてくれる」のであるから、「メール配信すべき情報があるか否かを監視し」ていると言え、そうすると、刊行物１発明は、本願補正発明と同様に、「テレビ番組配信端末は、利用者が登録した番組に関して、メール配信すべき情報があるか否かを監視し、当該監視の結果、前記メール配信すべき情報があるときは、前記テレビ番組配信端末が、利用者の前記端末に対して、登録した前記番組に関する前記情報をメール配信する」ものであるということができる。
　
　したがって、両者は、
　「利用者の端末とテレビ番組配信端末とを通信ネットワークを介して接続し、利用者が前記端末を介して前記テレビ番組配信端末から視聴したい番組を前記テレビ番組配信端末に登録するテレビ番組表示システムであって、
　前記テレビ番組配信端末は、利用者が登録した番組に関して、メール配信すべき情報があるか否かを監視し、当該監視の結果、前記メール配信すべき情報があるときは、前記テレビ番組配信端末が、利用者の前記端末に対して、登録した前記番組に関する前記情報をメール配信するテレビ番組表示システム。」
の点で一致し、以下の点で相違している。
　
［相違点１］
　利用者の「端末」が、本願補正発明では、「携帯端末」であるのに対して、刊行物１発明では、携帯端末について記載されていない点。
　
［相違点２］
　「視聴したい番組を前記テレビ番組配信端末に登録する」が、本願補正発明では、「テレビ番組配信端末から番組を閲覧して」であるのに対して、刊行物１発明では、登録に当たり、テレビ番組配信端末から番組を閲覧しているか明らかではない点。
　
［相違点３］
　「利用者の前記携帯端末に対して、登録した前記番組に関する前記情報をメール配信する」が、本願補正発明では、「登録した前記番組の前後又は登録した前記番組の放映中に」、「前記通信ネットワークに接続されたメール配信端末に対してメール送信を要求すると、該メール配信端末が」配信するのに対して、刊行物１発明では、メール配信が、登録した番組の前後や放映中であるか明らかでなく、メールがどのように配信されるかについては記載されていない点。
　
（４）判断
［相違点１］について
　携帯端末において、通信ネットワークを介して接続した端末から情報を閲覧することは、周知技術（例えば、特開平１１−１７７５４８号公報（【００６７】、【００６８】）、特開平１０−１８７７６３号公報（【００８５】、【０１４０】）等参照。））である。
　したがって、刊行物１発明において、当該周知技術を用いて、利用者が「携帯端末」を介してテレビ番組配信端末から番組を閲覧するようにすることは、当業者が適宜なしうる設計事項である。
　
［相違点２］について
　利用者が端末において、番組を登録するに当たって、テレビ番組配信端末から番組を閲覧して登録することは、周知技術（例えば、周知刊行物２，３等参照。）であって、刊行物１発明において、番組を登録するに当たって、当該周知技術を用いて、「テレビ番組配信端末から番組を閲覧して」登録するようにすることは、当業者が適宜なしうることである。
　
［相違点３］について
　本願補正発明の「登録した前記番組の前後又は登録した前記番組の放映中に」メール配信する点については、メール配信は番組の前、放映中、後のいずれのものも含まれ、つまり任意の配信時間と解釈される。一方、刊行物１発明は、メール配信は、任意の「新しい情報が入った際」であり、任意の配信時間であるから、両発明は実質的な差異はない。（なお、登録した番組の開始前にメール等で利用者に知らせることは、周知技術（例えば、周知刊行物４，５等参照。）である。）
　また、本願補正発明では、「前記通信ネットワークに接続されたメール配信端末に対してメール送信を要求すると、該メール配信端末が」メール配信する点については、一般に、情報のメール配信に当たって、インターネットに接続されたメール送信サーバ（ＳＭＴＰサーバ）などのメール配信端末に対してメール送信を要求すると、該メール配信端末がメール配信することは、周知技術（例えば、周知刊行物６，７等参照。）であるから、刊行物１発明において、情報をメール配信するに当たり、当該周知技術を用いて、本願補正発明のように、「前記通信ネットワークに接続されたメール配信端末に対してメール送信を要求すると、該メール配信端末が」情報をメール配信するようにすることは、当業者が適宜なしうることである。
　
　
　また、本願補正発明の作用効果も、刊行物１発明及び周知技術から当業者が予測できる範囲のものである。
　
　
（５）むすび
　以上の通りであるから、本願補正発明は、刊行物１発明及び周知技術に基づいて当業者が容易に発明をすることができたものといえるから、特許法第２９条第２項の規定により特許を受けることができない。
　
　
３．本願発明について
　平成１７年５月２３日付けの手続補正は上記のとおり却下されたので、本願の請求項１に係る発明（以下、「本願発明」という。）は、平成１６年１１月２９日付け手続補正書の特許請求の範囲の請求項１に記載された事項により特定される、以下のとおりである。
　「利用者の携帯端末とテレビ番組配信端末とを通信ネットワークを介して接続し、利用者が前記携帯端末を介してテレビ番組配信端末から番組を閲覧して視聴したい番組を前記テレビ番組配信端末に登録するテレビ番組表示システムにおいて、
　前記利用者が登録した番組に関してメール配信すべき情報があるときは、前記テレビ番組配信端末が、前記通信ネットワークに接続されたメール配信端末に対してメール送信を要求することによって、前記メール配信端末から利用者の携帯端末に対して、前記番組に関する情報をメール配信することを特徴とするテレビ番組表示システム。」
　
（１）刊行物
　原査定の拒絶の理由に引用された刊行物１の記載事項は、前記「２．平成１７年５月２３日付けの手続補正についての補正却下の決定」の「（２）刊行物」に記載したとおりである。
　
（２）対比・判断
　前記「２．平成１７年５月２３日付けの手続補正についての補正却下の決定」「（１）補正後の本願発明」で指摘したように、本願補正発明は、本願発明を限定したものであって、本願発明は本願補正発明から当該限定を削除したものである。
　そうすると、本願発明の構成要件を全て含み、さらに他の構成要件を付加したものに相当する本願補正発明が、前記「２．平成１７年５月２３日付けの手続補正についての補正却下の決定」の「（４）判断」に記載したとおり、刊行物１発明及び周知技術に基づいて当業者が容易に発明をすることができたものであるから、本願発明も、同様の理由により、刊行物１発明及び周知技術に基づいて、当業者が容易に発明をすることができたものである。
　
（３）むすび
　以上のとおり、本願発明は、刊行物１発明及び周知技術に基づいて、当業者が容易に発明をすることができたものであるから、特許法第２９条第２項の規定により特許を受けることができない。
　
　よって、結論のとおり審決する。